(57)【要約】【課題】地震発生時に動き出し、商品棚等からの商品の転落を最小限に食い止めることのできるキャスター装置を提供する。【解決手段】床面上を転動可能な転動体１２を備え、机等の脚部７の下端に設けられるキャスター装置８において、普段は、転動体１２を床面から浮き上がらせるように、脚部７の下端から垂設されて下端が床面に当接するとともに、震度６以上の地震発生時には、転動体１２を床面に当接させるように変形し得るストッパー片１４，１４，１４を備えて構成する。【選択図】図３
0003190568.tif 000002
【実用新案登録請求の範囲】
【請求項１】
床面上を転動可能な転動体を備え、机等の脚部の下端に設けられるキャスター装置において、
普段は前記転動体を前記床面から浮き上がらせるように前記脚部の下端から垂設されて下端が前記床面に当接するとともに、所定震度以上の地震発生時には前記転動体を前記床面に当接させるように変形し得るストッパー片を備えていることを特徴とするキャスター装置。
【請求項２】
震度６以上で前記ストッパー片が変形するように構成した請求項１に記載のキャスター装置。
【請求項３】
前記ストッパー片が前記転動体の外周側に複数間隔をおいて垂設されていることを特徴とする請求項１または請求項２に記載キャスター装置。
【請求項４】
前記ストッパー片が前記脚部の下端に固定される脚部とは別体の部材に形成されていることを特徴とする請求項１または請求項２または請求項３に記載のキャスター装置。
【考案の詳細な説明】
【技術分野】
【０００１】
本考案は、机等の脚部の下端に設けられるキャスター装置に関するものである。
【背景技術】
【０００２】
従来、特許文献１に開示されているような商品棚の商品の転落防止装置が存在する。
この装置では、２本の転落防止バーが棚の前面に上下移動可能に設けられた構造となっている。
【先行技術文献】
【特許文献】
【０００３】
【特許文献１】特開２０１１−１２５６７０号公報
【考案の概要】
【考案が解決しようとする課題】
【０００４】
上記特許文献１に開示されている構造では、棚に支持部材を取り付け、この支持部材に転落防止バーを移動可能に設けるものであるため、商品棚全体として部材が多くなってしまうという問題点があった。
【課題を解決するための手段】
【０００５】
本考案は、簡単な構造で商品等の転落を最小限に食い止めることのできるキャスター装置の提供を目的とし、この目的の少なくとも一部を達成するために以下の手段を採った。
本考案のキャスター装置は、床面上を転動可能な転動体を備え、机等の脚部の下端に設けられるキャスター装置において、普段は前記転動体を前記床面から浮き上がらせるように前記脚部の下端から垂設されて下端が前記床面に当接するとともに、所定震度以上の地震発生時には前記転動体を前記床面に当接させるように変形し得るストッパー片を備えていることを要旨とする。
【考案の効果】
【０００６】
本考案のキャスター装置は、机や商品棚の脚部の下端に設けられるものであり、普段は脚部の下端に垂設されているストッパー片が床面に当接しており、机や商品棚等は動くことがなく良好に固定状態に維持されるものであり、地震が発生した時には、このストッパー片が変形して転動体が床面に当接されるため、転動体の転動により商品棚や机が動き出し、商品棚や机の上に載せてある商品や本等の転落を最小限に食い止めることができる。
なお、ストッパー片の変形とは、ストッパー片に破壊や折れが生じて上下寸法が短くなる場合、或いは、垂直状態からストッパー片に水平方向への曲げや傾動が生じて上下寸法が短くなる場合を含むものである。
【０００７】
また、本考案のキャスター装置において、震度６以上で前記ストッパー片が変形するように構成することもできる。
こうすれば、震度６以上の地震が発生した時に、初めて転動体が床面に当接して動き出すため、震度６以上の地震発生時に良好に商品や本等の転落を最小限に食い止めることができる。
【０００８】
また、本考案のキャスター装置において、前記ストッパー片が前記転動体の外周側に複数間隔をおいて垂設されている構成とすることもできる。
こうすれば、複数のストッパー片の下端が床面に当接して、普段は良好に商品棚や机を動かない状態に固定しておくことができ、また、転動体の外周側にストッパー片が垂設されているため、内側の転動体を良好にストッパー片で隠して見栄えを良好なものとすることができる。
【０００９】
また、本考案のキャスター装置において、前記ストッパー片が前記脚部の下端に固定される脚部とは別体の部材に形成されているものとすることもできる。
こうすれば、ストッパー片が垂設された別体の部材を、商品棚や机の脚部の下端に取り付けて、既存の商品棚や机等に後付けできるものとなる。
【図面の簡単な説明】
【００１０】
【図１】多数の商品を載せた商品棚の斜視構成図である。
【図２】本を載せた机の斜視構成図である。
【図３】キャスター装置の一例を示す要部拡大斜視構成図である。
【図４】キャスター装置の別例を示す正面概略構成図である。
【考案を実施するための形態】
【００１１】
次に、本考案を実施するための形態を実施例を用いて説明する。
図１は、商品を載せた商品棚の斜視図であり、商品棚１は、ベース部２の上方に間隔をおいて、それぞれ水平に下棚板３と中棚板４と上棚板５が配置されており、各棚板３，４，５上には、それぞれ商品６，６，６を置いて使用できるものであり、ベース部２の四隅には、下方側へ向かって４本の脚部７，７，７，７が設けられており、この各脚部７の下端に、それぞれキャスター装置８が設けられている。
【００１２】
また、図２には、机９の斜視図を示し、机９の天板１０上には複数の本１１，１１が置かれており、この机９の４本の脚部７，７，７，７のそれぞれの下端には、キャスター装置８，８，８，８が設けられている。
【００１３】
この商品棚１や机９の脚部７の下端に設けられるキャスター装置８は、例えば図３に要部斜視構成図で示すような構造となっている。
脚部７の下端中央部には、ベアリングで構成された球状の転動体１２が転動可能に配置されており、この転動体１２は、床面に当接することで床面上を転動することができ、転動体１２の転動により商品棚１或いは机９が移動可能なものとなっている。
【００１４】
本例では、この転動体１２の外側に、間隔をおいて４本のストッパー片１４，１４，１４，１４が転動体１２を囲むようにして垂設されている。
この４本のストッパー片１４，１４，１４，１４は、板状の固定部１３を脚部７の下端に取り付け固定することにより、脚部７の下端から垂設されるものであり、固定部１３が脚部７の水平断面形状に対応した四角形状に形成されている場合は、固定部１３の四隅から４本のストッパー片１４，１４，１４，１４が垂設されており、各ストッパー片１４は、本例では水平断面がＬ字状の断面となっている。
Ｌ字状の断面であるため強度が大であるが、各ストッパー片１４，１４間は間隔が空いているため、震度６以上の地震発生時の揺れが生じたような場合には、この各ストッパー片１４，１４，１４，１４が変形するような強度に設定されている。即ち、ストッパー片１４，１４，１４，１４に破壊や折れが生じて上下寸法が短くなるように設定されているか、或いは、垂直状態からストッパー片１４，１４，１４，１４に水平方向への曲げや傾動が生じて上下寸法が短くなるように設定されている。
【００１５】
各ストッパー片１４の下端は、前記転動体１２の下端よりも僅かに下方側へ延びた高さ寸法となっており、固定部１３を脚部７に取り付けてストッパー片１４，１４，１４，１４が垂設されている状態では、各ストッパー片１４，１４，１４，１４の下端が床面に当接して、転動体１２を床面から浮き上がらせるように構成されている。
従って、普段は各ストッパー片１４，１４，１４，１４の下端が床面に当接するため、商品棚１或いは机９は横方向へ移動することなく定位置に固定された状態となる。
【００１６】
各ストッパー片１４，１４，１４，１４は、震度６以上の地震発生時に変形する強度或いは構造に設定されているため、震度６以上の地震発生時にはストッパー片１４，１４，１４，１４が外側等へ変形したり、曲げが生じたりして、高さ寸法が普段の状態よりも減少するため、震度６以上の地震発生時には転動体１２が床面に当接することとなり、この状態では、転動体１２を介して商品棚１或いは机９は横方向へ動き出すものである。
従って、震度６以上の地震発生時に商品棚１或いは机９が横方向へ動き出すことで、載せられている商品６或いは本１１は転落が最小限に食い止められることとなる。
なお、各ストッパー片１４，１４，１４，１４は固定部１３に一体形成されているため、固定部１３を介し後付けで脚部７の下端に取り付けできるものである。
【００１７】
次に、図４は、キャスター装置８の別例を示すものである。
この図４では、脚部７の下端中央部に一対の支持アーム１５が垂設されており、一対の支持アーム１５の下端に横方向に軸１６が通され、この軸１６に転動可能に円板ローラー状の転動体１２が設けられたものであり、この転動体１２の外側を囲むように、間隔をおいて４本のストッパー片１４，１４，１４，１４が垂設されている。
【００１８】
この各ストッパー片１４，１４，１４，１４は、上端の固定部１３から略垂直に一体形成されたものであり、固定部１３を脚部７へ取り付けた状態では、各ストッパー片１４，１４，１４，１４の下端が床面Ｆ上に当接し、転動体１２を床面から浮かび上がらせることができるものである。
図４の状態では、各ストッパー片１４，１４，１４，１４の下端が床面Ｆに当接して、商品棚１或いは机９は動くことのない固定された状態に維持される。
【００１９】
震度６以上の地震発生時に各ストッパー片１４，１４，１４，１４が変形するように構成されているため、震度６以上の地震発生時には転動体１２が床面Ｆに当接状態となり、その状態では転動体１２が床面Ｆ上を転動可能であり、地震発生時に商品棚１或いは机９が動き出し、これにより載せられている商品６或いは本１１の転落を最小限に食い止めることができるものである。
【符号の説明】
【００２０】
１  商品棚
２  ベース部
３，４，５  棚板
６  商品
７  脚部
８  キャスター装置
９  机
１１  本
１２  転動体
１３  固定部
１４  ストッパー片
【図１】
0003190568.tif 000003
【図２】
0003190568.tif 000004
【図３】
0003190568.tif 000005
【図４】
0003190568.tif 000006